【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
アクセスノードまたは発展型ノードB（eNB）（１１０）における、１つまたは複数のユーザ機器(UE)(１２０−１、１２０−２)にアップリンク(UL)送信リソースを許可するための方法であって、
・１つまたは複数の送信時間間隔(TTI)にわたるアップリンク送信リソースを第１のUE(１２０−１)に割り当てることと、
・前記アップリンク送信リソースが前記第１のUE(１２０−１)によって所定のTTIでアップリンク送信に使用されていないことが検出された場合、前記所定のTTIの一部のアップリンク送信リソースを第２のUE(１２０−２)に許可することと、を有する方法。
【請求項２】
所定のTTIの一部のアップリンク送信リソースを第２のUE(１２０−２)に許可することが、
・前記第１のUE(１２０−１)によって所定のTTIにおけるアップリンク送信に前記アップリンク送信リソースが使用されていないことの検出を実行することと、
・前記検出に応答して、前記所定のTTIの一部のアップリンク送信リソースを第２のUE(１２０−２)に許可することと、を有する、請求項１に記載の方法。
【請求項３】
前記TTIは定義された数の連続した短いTTIに再分割され、前記検出は最初の短いTTIに関して実行される、請求項２に記載の方法。
【請求項４】
前記第２のUE(１２０−２)に許可される前記TTIの前記一部は、前記最初の短いTTIに続く前記短いTTIの１つまたは複数を含む、請求項３に記載の方法。
【請求項５】
前記検出は、前記アップリンク送信リソースが前記所定のTTI内の前記最初のUE(１２０−１)によって使用されないことを感知することによって実行される、請求項４に記載の方法。
【請求項６】
前記eNB(１１０)は、前記第１のUE(１２０)のアップリンク送信の受信電力の推定に基づいて前記検出を実行する、請求項５に記載の方法。
【請求項７】
前記eNB(１１０)は、推定された電力が所定の電力閾値未満である場合、UL送信が実行されていないことを検出する、請求項６に記載の方法。
【請求項８】
前記eNB(１１０)は、前記TTIリソース割当てに関してクリアチャネルアセスメントを実行する、請求項２から７のいずれか１項に記載の方法。
【請求項９】
前記検出は、前記アップリンク送信リソースが前記第１のUE(１２０−１)によって使用されていないことを示す情報を受信することによって実行される、請求項２から４のいずれか１項に記載の方法。
【請求項１０】
前記第２のUE(１２０−２)に対する前記アップリンク送信リソースの前記許可は、ダウンリンク制御情報(DCI)によって伝達される、請求項２から９のいずれか１項に記載の方法。
【請求項１１】
前記アップリンク送信リソースを前記第１のUE(１２０−１)に割り当てることは、永続的または半永続的リソース割り当てである、請求項１から１０のいずれか１項に記載の方法。
【請求項１２】
所定のTTIの一部のアップリンク送信リソースを第２のUE(１２０−２)に許可することが、
・第１のUE(１２０−１)がUL送信のためのリソース割当てを使用していない場合にのみ、第２のUEによって使用されるように、前記第２のUE(１２０−２)に対する前記TTIの１つまたは複数の短いTTIの条件付きアップリンクリソース割当てを実行することを含む、請求項１に記載の方法。
【請求項１３】
前記第２のUE(１２０−２)は、前記第１のUE(１２０−１)への前記TTIの前記アップリンク送信リソースの割り当てに関してチャネルセンシングを実行する、請求項１２に記載の方法。
【請求項１４】
前記eNBは、信号強度、地理的位置、および所与の優先度のうちの少なくとも１つに応じて複数の第２のUE(１２０−２)のグループ化を実行し、前記TTIの前記１つまたは複数の短いTTIは、１つのグループ内の複数の第２のUE(１２０−２)に許可される、請求項１２または１３に記載の方法。
【請求項１５】
前記複数の第２のUEは、互いにクリアチャネルアセスメントを実行することによって、前記１つまたは複数の許可された短いTTIリソースの配分を実行する、請求項１４に記載の方法。
【請求項１６】
前記複数の第２のUEは、前記１つまたは複数の許可された短いTTIリソースの配分を、前記複数の第２のUE間のさらなる優先度付けに基づいて実行する、請求項１４に記載の方法。
【請求項１７】
アップリンク(UL)送信リソースを、１つまたは複数のユーザ装置(UE)(１２０−１、１２０−２)に許可するように構成されたeNB(１１０)であって、信号交換のために１つ以上のインターフェースに接続されたプロセッサ(１１０１)と、前記プロセッサに動作可能に接続されたメモリ(１１０２)とを有し、前記メモリは、
・送信時間間隔(TTI)にわたるアップリンク送信リソースを第１のUE(120-1)に割り当てることと、
・前記第１のUE(１２０−１)によって所定のTTIにおけるアップリンク送信に前記アップリンク送信リソースが使用されていないことが検出された場合、前記所定のTTIの一部のアップリンク送信リソースを第２のUE(１２０−２)に許可することと、
を実行またはトリガするように構成された命令を格納する、eNB(１１０)。
【請求項１８】
１つまたは複数のユーザ機器(UE)(１２０−１、１２０−２)にアップリンク(UL)送信リソースを許可するように構成されたeNB(１１０)であって、
・送信時間間隔(TTI)にわたるアップリンク送信リソースを第１のUE(１２０−１)に割り当てることと、
・前記第１のUE(１２０−１)によって所定のTTIにおけるアップリンク送信に前記アップリンク送信リソースが使用されていないことが検出された場合、前記所定のTTIの一部のアップリンク送信リソースを第２のUE(１２０−２)に許可することと、を実行するか、トリガするように構成された、eNB（１１０）。
【請求項１９】
１つまたは複数のユーザ機器(UE)(１２０−１、１２０−２)にアップリンク(UL)送信リソースを許可するように構成されたeNB(１１０)であって、
・第１のUE(１２０−１)による所定のTTIにおけるアップリンク送信にアップリンク送信リソースが使用されていないことが検出された場合、前記所定のTTIの一部のアップリンク送信リソースを第２のUE(１２０−２)に許可するように構成されたスケジューラ(１１０７)を有するeNB(１１０)。
【請求項２０】
・前記第１のUE(１２０−１)によるアップリンク送信に前記アップリンク送信リソースが使用されていないことの検出を実行し、
・前記検出に応答して、前記TTIの一部のアップリンク送信リソースを第２のUE(１２０−２)に許可する、ように構成された請求項１７から１９のいずれか1項に記載のeNB。
【請求項２１】
前記TTIは定義された数の連続した短いTTIに再分割され、前記検出は最初の短いTTIに関して実行される、請求項１７から２０のいずれか1項に記載のeNB。
【請求項２２】
前記最初の短いTTIに続く１つまたは複数の短いTTIを有する、前記TTIの前記一部を前記第２のUE(１２０−２)に許可するように構成された、請求項２１に記載のeNB。
【請求項２３】
前記アップリンク送信リソースが前記第１のUE(１２０−１)から使用されないことを感知することによって前記検出を実行するようにさらに構成された、請求項２２に記載のeNB。
【請求項２４】
前記第１のUE(１２０)のアップリンク送信の受信電力の推定に基づいて前記検出を実行するようにさらに構成される、請求項２３に記載のeNB。
【請求項２５】
推定された電力が所定の電力閾値未満である場合、UL送信が実行されていないと検出するようにさらに構成される、請求項２４に記載のeNB。
【請求項２６】
前記TTIリソース割り当てに関してクリアチャネルアセスメントを実行するようにさらに構成された、請求項１７から２５のいずれか1項に記載のeNB。
【請求項２７】
前記アップリンク送信リソースが前記第１のUE(１２０−１)によって使用されていないことを示す情報を受信することによって前記検出を実行するようにさらに構成される、請求項１７から２６のいずれか1項に記載のeNB。
【請求項２８】
ダウンリンク制御情報(DCI)によって、前記第２のUE(１２０−２)に前記アップリンク送信の前記許可を伝達するようにさらに構成される、請求項１７から２７のいずれか1項に記載のeNB。
【請求項２９】
前記アップリンク送信リソースを割り当てるときに、永続的(または半永続的)リソース割り当てを実行するようにさらに構成される、請求項１７から２８のいずれか１項に記載のeNB。
【請求項３０】
所定のTTIの一部の前記アップリンク送信リソースを第２のUE(１２０−２)に許可するために、前記eNBは、前記第１のUE(１２０−１)がUL送信に前記アップリンク送信リソースを使用していない場合にのみ前記第２のUE(１２０−２)によって使用されるように、前記TTIの１つまたは複数の短いTTIの前記第２のUE(１２０−２)への条件付きアップリンク送信リソース割り当てを実行するように構成された、請求項１７から１９のいずれか１項に記載のeNB。
【請求項３１】
信号強度、地理的位置、および所与の優先度のうちの少なくとも１つに応じて複数の第２のUE(１２０−２)のグループ化を実行し、１つのグループ内の複数の第２のUE(１２０−２)に前記所定のTTIの前記１つまたは複数の短いTTIを許可するようにさらに構成される、請求項３０に記載のeNB。
【請求項３２】
アップリンク(UL)リソースを第２のUE(１２０−２)に許可するeNB(１１０)をサポートするための第１のUE(１２０−１)における方法であって、
・１つまたは複数の送信時間間隔(TTI)にわたるアップリンクリソースの割り当てを受信することと、
・所定のTTIに関する前記アップリンクリソースが前記第１のUEによるアップリンク送信に使用されていること、または使用されないことを検出することと、
・前記検出に応答して、前記所定のTTIの前記アップリンクリソースが使用されていないことを示す情報を前記eNB(１１０)に送信することと、を有する方法。
【請求項３３】
第１のUE(１２０−１)に割り当てられたアップリンクリソースを使用するための、第２のUE(１２０−２)における方法であって、
・eNB(１１０)から、所定のTTIの１つまたは複数の短いTTIのアップリンクリソースについての条件付き許可を受信することと、
・前記第１のUE(１２０−１)が前記所定のTTIに関して前記アップリンクリソースを使用しているか否かの検出を実行することと、
・前記検出が、前記第１のUE(１２０−１)が前記所定のTTIに関して前記アップリンクリソースを使用していないことを明らかにした場合にのみ、アップリンク送信リソースについて前記条件付き許可を使用することと、を有する方法。
【請求項３４】
前記第２のUE(１２０−２)は、前記第１のUE(１２０−１)への前記所定のTTIの前記アップリンクリソースの割り当てに関してチャネルセンシングを実行する、請求項３３に記載の方法。
【請求項３５】
第２のUE(１２０−２)は、第３のUEに関してクリアチャネルアセスメントを実行することによって、前記１つまたは複数の許可された短いTTIリソースについて第３のUEと競い合う、請求項３４に記載の方法。
【請求項３６】
アップリンク(UL)リソースをさらなるUE(１２０−２)に許可するようにeNB(１１０)をサポートするように構成されたUE(１２０−１)であって、:
・１つまたは複数の送信時間間隔(TTI)にわたるアップリンクリソースの割り当てを受信することと、
・所定のTTIに関するアップリンクリソースが前記UE(１２０−１)によるアップリンク送信に使用されていること、または使用されないことを検出することと、
・前記検出に応答して、前記所定のTTIの前記アップリンクリソースが使用されていないことを示す情報を前記eNB(１１０)に送信することと、を実行またはトリガするように構成されたUE(１２０−１)。
【請求項３７】
接続されたプロセッサと、前記プロセッサに動作可能に接続されたメモリとを有し、前記メモリは、請求項３６に記載されたステップを実行またはトリガするように構成された命令を記憶する、請求項３６に記載のUE(１２０−１)。
【請求項３８】
アップリンク(UL)リソースをさらなるUE(１２０−２)に許可するようにeNB(１１０)をサポートするように構成されたUE(１２０−１)であって、
・１つまたは複数の送信時間間隔(TTI)にわたるアップリンクリソースの割り当てを受信するように構成された受信機(１２０４)と、
・所定のTTIに関する前記アップリンクリソースが前記UE(１２０−１)によるアップリンク送信に使用されていること、または使用されないことを検出するように構成された検出器(１２０５)と、
・前記検出に応答して、前記所定のTTIの前記アップリンクリソースが使用されていないことを示す情報を前記eNB(１１０)に送信するように構成された送信機(１２０６)と、を有するUE(１２０−１)。
【請求項３９】
さらなるUE(１２０−１)に割り当てられたアップリンクリソースを使用するように構成されたUE(１２０−２)であって、
・eNB(１１０)から、所定のTTIの１つまたは複数の短いTTIのアップリンクリソースについての条件付き許可を受信することと、
・前記さらなるUE(１２０−１)が前記所定のTTIに関して前記アップリンクリソースを使用しているか否かの検出を実行することと、
・前記検出が、前記さらなるUE(１２０−１)が前記所定のTTIに関して前記アップリンクリソースを使用していないことを明らかにした場合にのみ、アップリンクリソースについて前記条件付き許可を使用することと、を有するUE(１２０−２)。
【請求項４０】
接続されたプロセッサと、前記プロセッサに動作可能に接続されたメモリとを有し、前記メモリは、請求項３９に記載のステップを実行またはトリガするように構成された命令を記憶する、請求項３９に記載のUE(１２０−２)。
【請求項４１】
さらなるUE(１２０−１)に割り当てられたアップリンクリソースを使用するように構成されたUE(１２０−２)であって、
・eNB(１１０)から、所定のTTIの１つまたは複数の短いTTIのアップリンクリソースについての条件付き許可を受信するように構成された受信機(１２１４)と、
・前記さらなるUE(１２０−１)が前記所定のTTIに関して前記アップリンクリソースを使用しているか否かの検出を実行するように構成された検出器(１２１５)と、
・前記さらなるUE(１２０−１)が前記所定のTTIに関して前記アップリンクリソースを使用していないことを前記検出が明らかにした場合にのみ、アップリンク送信について前記条件付き許可を使用するように構成された送信機(１２１６)と、を有するUE(１２０−２)。